【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
光学調節手段を手動で駆動するために操作される手動操作部材の位置を検出する位置検出手段と、
前記手動操作部材を介して前記光学調節手段を電動で駆動する電動駆動手段と、
前記手動操作部材の駆動中に操作される記憶操作手段と、
該記憶操作手段の操作により、前記位置検出手段による検出位置の変化に基づいて演算された前記光学調節手段の移動速度を記憶する記憶手段と、
前記電動駆動手段により前記光学調節手段を前記記憶手段に記憶された移動速度で駆動する再生手段と、
前記記憶手段および前記再生手段を制御する制御手段とを有することを特徴とする光学制御装置。
【請求項２】
光学調節手段を手動で駆動するために操作される手動操作部材の位置を検出する位置検出手段と、
前記手動操作部材を介して前記光学調節手段を電動で駆動する電動駆動手段と、
前記手動操作部材の駆動中に操作される記憶操作手段と、
該記憶操作手段の操作により、前記位置検出手段による検出位置の変化に基づいて演算された前記光学調節手段の移動速度および移動方向を記憶する記憶手段と、
前記電動駆動手段により前記光学調節手段を前記記憶手段に記憶された移動速度で記憶された移動方向に駆動する再生手段と、
前記記憶手段および前記再生手段を制御する制御手段とを有することを特徴とする光学制御装置。
【請求項３】
光学調節手段を手動で駆動するために操作される手動操作部材の位置を検出する位置検出手段と、
前記手動操作部材を介して前記光学調節手段を電動で駆動する電動駆動手段と、
前記手動操作部材の駆動中に操作される記憶操作手段と、
該記憶操作手段の操作により、前記位置検出手段による検出位置の変化に基づいて演算された前記光学調節手段の移動速度を記憶する記憶手段と、
前記光学調節手段の位置を記憶する位置記憶手段と、
前記電動駆動手段により前記光学調節手段を前記記憶手段に記憶された移動速度で前記位置記憶手段に記憶された位置に駆動する再生手段と、
前記記憶手段および前記再生手段を制御する制御手段とを有することを特徴とする光学制御装置。
【請求項４】
光学調節手段を手動で駆動するために操作される手動操作部材の位置を検出する位置検出手段と、
前記手動操作部材を介して前記光学調節手段を電動で駆動する電動駆動手段と、
前記手動操作部材の駆動中に操作される記憶操作手段と、
該記憶操作手段の操作により、前記位置検出手段による検出位置の変化に基づいて演算された前記光学調節手段の移動速度を記憶する記憶手段と、
前記光学調節手段の位置を記憶する位置記憶手段と、
前記記憶手段に記憶された速度もしくは所定の速度を選択する速度選択手段と、
前記電動駆動手段により前記光学調節手段を前記位置記憶手段に記憶された位置に前記速度選択手段で選択された速度で駆動する再生手段と、
前記記憶手段および前記再生手段を制御する制御手段とを有することを特徴とする光学制御装置。
【請求項５】
請求項１乃至４のいずれか１項に記載の光学制御装置を備え、前記光学調節手段と前記手動操作部材を有する光学機器に装着されることを特徴とする光学駆動ユニット。
【請求項６】
請求項５に記載の光学駆動ユニットと、前記光学機器とを有することを特徴とする光学システム。
【請求項７】
請求項６に記載の光学システムと、前記光学機器が装着される撮影装置とを有することを特徴とする撮影システム。
【手続補正２】
【補正対象書類名】明細書
【補正対象項目名】００１０
【補正方法】変更
【補正の内容】
【００１０】
【課題を解決するための手段】
上記の目的を達成するために、本願発明の光学制御装置は、一つの観点として、光学調節手段を手動で駆動するために操作される手動操作部材の位置を検出する位置検出手段と、前記手動操作部材を介して前記光学調節手段を電動で駆動する電動駆動手段と、前記手動操作部材の駆動中に操作される記憶操作手段と、該記憶操作手段の操作により、前記位置検出手段による検出位置の変化に基づいて演算された前記光学調節手段の移動速度を記憶する記憶手段と、前記電動駆動手段により前記光学調節手段を前記記憶手段に記憶された移動速度で駆動する再生手段と、前記記憶手段および前記再生手段を制御する制御手段とを有する。
【手続補正３】
【補正対象書類名】明細書
【補正対象項目名】００１１
【補正方法】変更
【補正の内容】
【００１１】
本願発明の光学制御装置は、別の観点として、光学調節手段を手動で駆動するために操作される手動操作部材の位置を検出する位置検出手段と、手動操作部材を介して光学調節手段を電動で駆動する電動駆動手段と、手動操作部材の駆動中に操作される記憶操作手段と、該記憶操作手段の操作により、位置検出手段による検出位置の変化に基づいて演算された光学調節手段の移動速度および移動方向を記憶する記憶手段と、電動駆動手段により光学調節手段を記憶手段に記憶された移動速度で記憶された移動方向に駆動する再生手段と、記憶手段および再生手段を制御する制御手段とを有する。
【手続補正４】
【補正対象書類名】明細書
【補正対象項目名】００１２
【補正方法】変更
【補正の内容】
【００１２】
本願発明の光学制御装置は、別の観点として、光学調節手段を手動で駆動するために操作される手動操作部材の位置を検出する位置検出手段と、手動操作部材を介して光学調節手段を電動で駆動する電動駆動手段と、手動操作部材の駆動中に操作される記憶操作手段と、該記憶操作手段の操作により、位置検出手段による検出位置の変化に基づいて演算された光学調節手段の移動速度を記憶する記憶手段と、光学調節手段の位置を記憶する位置記憶手段と、電動駆動手段により光学調節手段を記憶手段に記憶された移動速度で位置記憶手段に記憶された位置に駆動する再生手段と、記憶手段および再生手段を制御する制御手段とを有する。
本願発明の光学制御装置は、別の観点として、光学調節手段を手動で駆動するために操作される手動操作部材の位置を検出する位置検出手段と、手動操作部材を介して光学調節手段を電動で駆動する電動駆動手段と、手動操作部材の駆動中に操作される記憶操作手段と、該記憶操作手段の操作により、位置検出手段による検出位置の変化に基づいて演算された光学調節手段の移動速度を記憶する記憶手段と、光学調節手段の位置を記憶する位置記憶手段と、記憶手段に記憶された速度もしくは所定の速度を選択する速度選択手段と、
電動駆動手段により光学調節手段を位置記憶手段に記憶された位置に速度選択手段で選択された速度で駆動する再生手段と、記憶手段および再生手段を制御する制御手段とを有することを特徴とする。
【手続補正５】
【補正対象書類名】明細書
【補正対象項目名】００１５
【補正方法】変更
【補正の内容】
【００１５】
しかも、電動駆動時にも手動操作部材を介して光学調節手段を駆動できるため、上記位置検出手段を利用してこのときの手動操作部材の検出位置の変化に基づいて光学調節手段の移動速度を演算・記憶するようにすれば、電動駆動により光学調節手段を駆動した際の光学調節手段の速度と同じ速度での光学調節手段の移動をも再現することが可能となる。つまり、上記位置検出手段を、手動操作時と電動駆動時の双方において光学調節手段の駆動速度を演算するために共用することが可能となる。
【手続補正６】
【補正対象書類名】明細書
【補正対象項目名】００２０
【補正方法】変更
【補正の内容】
【００２０】
また、固定筒４の近傍には、レンズ駆動ユニットＤが装着されている。このレンズ駆動ユニットＤの本体８には、ズームモータ（電動駆動手段）９と、レンズ位置検出用のポテンショメータ（位置検出手段）１０とが内蔵されている。
【手続補正７】
【補正対象書類名】明細書
【補正対象項目名】００２１
【補正方法】変更
【補正の内容】
【００２１】
ポテンショメータ１０の入力軸に設けられた位置検出歯車１１は、ズーム操作リング７上に形成された被位置検出ギア７ａに噛合している。このため、ズーム操作リング７が回転すると、ポテンショメータ１０はその回転位置に応じた値の信号を出力する。なお、本実施形態では、ポテンショメータ１０を用いてズーム操作リング７の回転位置を検出するようにしているが、ポテンショメータ１０に代えて、エンコーダ（機械式や光学式のもの）等、他の位置検出手段を用いてもよい。
【手続補正８】
【補正対象書類名】明細書
【補正対象項目名】００３０
【補正方法】変更
【補正の内容】
【００３０】
なお、変倍レンズ１の駆動速度は、メモリースイッチ２１が押された瞬間の位置データとステップ１０２でバッファに保存した位置データとの差分を両位置データが取得された時間の差分で割る（ないし微分する）ことによって得られる。また、変倍レンズ１の駆動方向は、メモリースイッチ２１が押された瞬間の位置データとステップ１０２でバッファに保存した位置データとの差分の符号（＋，−）を判別することによって得られる。
【手続補正９】
【補正対象書類名】明細書
【補正対象項目名】００５７
【補正方法】変更
【補正の内容】
【００５７】
【発明の効果】
以上説明したように、本発明によれば、手動操作部材が駆動している際におけるこの手動操作部材の検出位置の変化に基づいて光学調節手段の移動速度を演算・記憶し、その記憶された速度での光学調節手段の駆動を行うことができるため、手動操作部材を手動（マニュアル）操作して光学調節手段を駆動した際の光学調節手段の速度と同じ速度での光学調節手段の駆動を再現することができる。
【手続補正１０】
【補正対象書類名】明細書
【補正対象項目名】００５９
【補正方法】変更
【補正の内容】
【００５９】
しかも、電動駆動時にも手動操作部材を介して光学調節手段を駆動できるため、上記位置検出手段を利用してこのときの手動操作部材の検出位置の変化に基づいて光学調節手段の移動速度を演算・記憶するようにすれば、電動駆動により光学調節手段を駆動した際の光学調節手段の速度と同じ速度での光学調節手段の移動をも再現することができる。つまり、上記位置検出手段を、手動操作時と電動駆動時の双方において光学調節手段の駆動速度を演算するために共用することができる。